【手続補正書】
【提出日】平成20年8月28日(2008.8.28)
【手続補正１】
【補正対象書類名】明細書
【補正対象項目名】特許請求の範囲
【補正方法】変更
【補正の内容】
【特許請求の範囲】
【請求項１】
直列に接続され、それぞれ複数のバッテリセルを有する複数のバッテリモジュールと、
信号路によって電気的に非絶縁状態で直列に接続され、指令信号を受信して複数のバッテリセルの状態を検出する複数の第１制御装置と、を有し、
前記複数の第１制御装置の直列接続は、電気的な接続が絶縁された信号路を介して、前記指令信号を送信する第２制御装置に接続されている、
ことを特徴とする蓄電装置。
【請求項２】
直列に接続され、それぞれ複数のバッテリセルを有する複数のバッテリモジュールと、
少なくとも一部が、信号路によって電気的に非絶縁状態で直列に接続され、指令信号を受信して複数のバッテリセルの状態を検出する複数の第１制御装置と、を有し、
前記複数の第１制御装置は、電気的な接続が絶縁された信号路を介して、前記指令信号を送信する第２制御装置に接続されている、
ことを特徴とする蓄電装置。
【請求項３】
請求項１又は２に記載の蓄電装置において、
前記絶縁は、前記絶縁によって分けられた信号路の異なる基準電位を維持する、
ことを特徴とする蓄電装置。
【請求項４】
直列に接続され、それぞれ複数のバッテリセルを有する複数のバッテリモジュールと、
前記複数のバッテリモジュールに対応し、電気的に非絶縁状態で直列に接続され、回路装置を介して第２制御装置から指令信号を受信するために配置され、対応するバッテリモジュールに含まれる複数のバッテリセルの状態を検出する複数の第１制御装置と、を有し、
前記回路装置は、前記第１制御装置が第１電圧に維持され、前記第２制御装置が、前記第１電圧よりも低い第２電圧に維持されるように配置されており、
前記複数の第１制御装置は、信号入出力回路を有する集積回路であり、
前記第１制御装置の一つの前記信号入力回路と別の前記第１制御装置の前記信号出力回路は異なる基準電位を有する、
ことを特徴とする蓄電装置。
【請求項５】
請求項４に記載の蓄電装置において、
前記回路装置は、低電圧信号路から高電圧信号路に前記指令信号を伝送する、
ことを特徴とする蓄電装置。
【請求項６】
直列に接続され、それぞれ複数のバッテリセルを有する複数のバッテリモジュール、及び電気的に非絶縁状態で直列に接続され、前記複数のバッテリモジュールに対応し、指令信号を受信して、対応するバッテリモジュールに含まれる複数のバッテリセルの状態を検出する複数の第１制御装置、を有する第１回路領域と、
前記第１回路領域に対して前記指令信号を出力するための第２制御装置を有する第２回路領域と、を有し、
前記第１及び第２回路領域は、異なる基準電位を有しており、
さらに、前記第１及び第２回路領域の異なる基準電位を維持し、前記第１及び第２回路領域を接続するための装置を有している、
ことを特徴とする蓄電装置。
【請求項７】
請求項６に記載の蓄電装置において、
前記第１及び第２回路領域は、前記第１及び第２回路領域を接続する装置によって電気的に分けられる、
ことを特徴とする蓄電装置。
【請求項８】
直列に接続され、それぞれ複数のバッテリセルを有する複数のバッテリモジュールと、
前記複数のバッテリモジュールに対応し、絶縁を介して第２制御装置から伝送された指令信号を受信して、対応するバッテリモジュールに含まれる複数のバッテリセルの状態を検出する第１制御装置群と、を有し、
前記第１制御装置は、信号入力端子、信号出力端子、電圧検出端子、前記信号入力端子を介して信号を受信して、前記信号出力端子を介して信号を送信する信号入出力回路、及び前記電圧検出端子を介して、前記対応する複数のバッテリセルのそれぞれの電圧を検出する電圧検出回路を有する集積回路であり、
前記複数の集積回路は、異なる基準電位を有すると共に、連続的に接続される前記集積回路の間での前記信号出力端子と前記信号入力端子との電気的非絶縁方法での接続によって直列に接続されている、
ことを特徴とする蓄電装置。
【請求項９】
直列に接続され、それぞれ複数のバッテリセルを有する複数のバッテリモジュールと、
前記複数のバッテリモジュールに対応して設けられ、絶縁を介して第２制御装置から伝送された指令信号を受信し、対応するバッテリモジュールに含まれる複数のバッテリセルの状態を検出する複数の第１制御装置と、を有し、
前記複数の第１制御装置は、信号入力端子、信号出力端子、電圧検出端子、前記信号入力端子を介して信号を受信して、前記信号出力端子を介して信号を送信する信号入出力回路、及び前記電圧検出端子を介して、前記対応する複数のバッテリセルのそれぞれの電圧を検出する電圧検出回路を有する集積回路であり、
前記複数の集積回路は、異なる基準電位を有すると共に、連続的に接続される前記集積回路の間での前記信号出力端子と前記信号入力端子との電気的非絶縁方法での接続によって直列に接続されている、
ことを特徴とする蓄電装置。
【請求項１０】
車両に搭載される蓄電装置であって、
直列に接続され、それぞれ複数のバッテリセルを有する複数のバッテリモジュールと、
前記複数のバッテリモジュールに対応して設けられ、第２制御装置から指令信号を受信し、対応するバッテリモジュールに含まれる複数のバッテリセルの状態を検出する複数の第１制御装置と、を有し、
前記複数の第１制御装置は、異なる基準電位を有する信号入出力回路を含むと共に、前記第１制御装置の間での前記信号出力回路の信号出力端子と前記信号入力回路の信号入力端子との電気的非絶縁状態での接続によって直列に接続されており、
前記直列に接続された第１制御装置は、絶縁を介して前記第２制御装置から前記指令信号を受信する、
ことを特徴とする蓄電装置。
【請求項１１】
車両に搭載される蓄電装置であって、
直列に接続され、それぞれ複数のバッテリセルを有する複数のバッテリモジュールと、
前記複数のバッテリモジュールに対応して設けられ、第２制御装置から指令信号を受信し、対応するバッテリモジュールに含まれる複数のバッテリセルを制御する複数の第１制御装置と、を有し、
前記複数の第１制御装置は、信号入出力端子を備えた信号入出力回路を含むと共に、通信路によって直列に接続されており、
前記信号出力端子からの出力信号は、前記対応する第１制御装置の基準電位にしたがってお互いに異なる基準電位を有しており、
前記通信路は、前記第２制御装置から絶縁を介して前記指令信号を受信し、前記複数の第１制御装置に対して前記指令信号を電気的に絶縁することなく伝送する、
ことを特徴とする蓄電装置。
【請求項１２】
請求項９乃至１１のいずれかに記載の蓄電装置において、
前記第１制御装置のそれぞれに対する信号は、前記複数の信号入出力回路の直列を介して前記第１制御装置のそれぞれに伝送される、
ことを特徴とする蓄電装置。
【請求項１３】
請求項１２に記載の蓄電装置において、
前記第１制御装置のそれぞれに対する信号は、最高電位バッテリモジュールに対応する前記第１制御装置の信号入出力回路から、最低電位バッテリモジュールに対応する前記第１制御装置の信号入出力回路に向って順に伝送される、
ことを特徴とする蓄電装置。
【請求項１４】
請求項１３に記載の蓄電装置において、
前記絶縁は、前記最高電位バッテリモジュールに対応する第１制御装置の信号入出力回路の信号入力側に接続されており、
前記第２制御装置から伝送された信号は、前記最高電池バッテリモジュールに対応する第１制御装置の信号入出力回路の信号入力側に入力される、
ことを特徴とする蓄電装置。
【請求項１５】
請求項９に記載の蓄電装置において、
前記各集積回路は複数の端子を有し、
前記複数の端子は、前記対応するバッテリモジュールの複数のバッテリセルに対してそれぞれ対をなした端子と、他の端子とを含んでおり、
前記バッテリセルに対をなした端子と前記他の端子は交互に配置されている、
ことを特徴とする蓄電装置。
【請求項１６】
請求項１０又は１１に記載の蓄電装置において、
前記複数の第１制御装置は、複数の端子を有する集積回路であり、
前記複数の端子は、前記対応するバッテリモジュールの複数のバッテリセルに対してそれぞれ対をなした端子と、他の端子とを含んでおり、
前記バッテリセルに対をなした端子と前記他の端子は交互に配置されている、
ことを特徴とする蓄電装置。
【請求項１７】
請求項１４に記載の蓄電装置において、
前記複数の第１制御装置は前記第２制御装置との間で信号を送受信しており、
前記信号伝送は、前記第２制御装置と前記最高電位の第１制御装置との間、及び前記第２制御装置と前記最低電位の第１制御装置との間で行われ、さらに、前記複数の第１制御装置の間の電気的な接続によって行われる、
ことを特徴とする蓄電装置。
【請求項１８】
請求項９乃至１１のいずれかに記載の蓄電装置において、
前記絶縁は、最高電位バッテリモジュールに対応する第１制御装置と前記第２制御装置との間の信号伝送路に設けられている、
ことを特徴とする蓄電装置。
【請求項１９】
請求項１８に記載の蓄電装置において、
前記絶縁は、最低電位バッテリモジュールに対応する第１制御装置と前記第２制御装置との間の信号伝送路に設けられている、
ことを特徴とする蓄電装置。
【請求項２０】
請求項９乃至１１のいずれかに記載の蓄電装置において、
放電回路を有し、
前記放電回路は、スイッチと抵抗とを有すると共に、前記バッテリセルの少なくとも一つの正負極間に並列に接続されている、
ことを特徴とする蓄電装置。
【請求項２１】
請求項２０に記載の蓄電装置において、
前記複数の第１制御装置は前記第２制御装置との間で信号を送受信し、
前記複数の第１制御装置は、前記対応するバッテリモジュールおけるバッテリセルの電圧情報を前記第２制御装置に伝送して、前記第２制御装置から伝送された放電指令信号を受信し、前記放電指令信号に基づいて前記放電回路の前記スイッチを制御して、前記対応するバッテリモジュールにおけるバッテリセルの放電を制御する、
ことを特徴とする蓄電装置。
【請求項２２】
請求項２０に記載の蓄電装置において、
前記複数の第１制御装置は前記第２制御装置との間で信号を送受信し、
前記複数の第１制御装置は、前記対応するバッテリモジュールにおけるバッテリセルの放電レベルを発生し、前記対応するバッテリモジュールのバッテリセルに設けられた前記放電回路のスイッチを制御して、前記対応するバッテリモジュールにおけるバッテリセルの放電を制御する、
ことを特徴とする蓄電装置。
【請求項２３】
請求項９乃至１１のいずれかに記載の蓄電装置において、
前記絶縁はフォトカプラである、
ことを特徴とする蓄電装置。
【請求項２４】
請求項９乃至１１のいずれかに記載の蓄電装置において、
前記バッテリセルはリチウム電池セルである、
ことを特徴とする蓄電装置。
【請求項２５】
請求項９乃至１１のいずれかに記載の蓄電装置において、
前記指令信号又は電圧検出信号は第１及び第２信号線を介して前記第１制御装置と前記第２制御装置との間で伝送されており、
前記第１信号線は前記絶縁と前記複数の第１制御装置との間を接続しており、
前記第２信号線は前記第２制御装置と前記絶縁との間を接続しており、
前記第１信号線における前記指令信号又は前記電圧検出信号のグランドレベルは、前記第２信号線における前記指令信号又は前記電圧検出信号のグラントレベルとは異なる、
ことを特徴とする蓄電装置。
【請求項２６】
請求項９乃至１１のいずれかに記載の蓄電装置において、
前記複数の第１制御装置に対する電力は第１電源によって供給されており、
前記第２制御装置に対する電力は第２電源によって供給されており、
前記第２電源は前記第１電源とは異なる、
ことを特徴とする蓄電装置。
【請求項２７】
請求項２６に記載の蓄電装置において、
前記指令信号又は電圧検出信号は第１及び第２信号線を介して前記第１制御装置と前記第２制御装置との間で伝送されており、
前記第１信号線は前記絶縁と前記複数の第１制御装置との間を接続しており、
前記第２信号線は前記第２制御装置と前記絶縁との間を接続しており、
前記第１信号線における前記指令信号又は前記電圧検出信号のグランドレベルは、前記第２信号線における前記指令信号又は前記電圧検出信号のグラントレベルとは異なる、
ことを特徴とする蓄電装置。
【請求項２８】
請求項９乃至１１のいずれかに記載の蓄電装置において、
前記絶縁は、異なる電流の流れを分ける、
ことを特徴とする蓄電装置。
【請求項２９】
正極及び負極を有する多数のリチウム単電池が直列に接続され、前記多数のリチウム単電池が、直列に接続された複数のリチウム単電池で構成される複数のリチウム単電池グループに分けられたリチウムバッテリと、
前記複数のリチウム単電池グループに対応して設けられ、電気的に直列に接続された複数の集積回路と、を有し、
前記複数の集積回路は、それぞれ、
対応するリチウム単電池グループの電位が加えられる基準電位端子と、
信号入力端子と、
信号出力端子と、
前記対応するリチウム単電池グループに含まれる複数のリチウム単電池のそれぞれの端子電圧を取り込むための電圧取込端子と、
前記電圧取込端子に供給された端子電圧を選択的に取り込むためのマルチプレクサと、
前記マルチプレクサにより取り込まれた端子電圧をディジタル変換するためのＡ／Ｄ変換回路と、
前記信号入力端子を介して信号を受信する信号入力回路と、
前記信号出力端子を介して信号を送信する信号出力回路と、を有しており、
前記複数の集積回路の電気的な直列接続は、連続的に接続される前記集積回路の間での前記信号出力端子と前記信号入力端子との電気的非絶縁状態での接続によって構成され、絶縁を介してバッテリコントローラから信号を受ける、
ことを特徴とする蓄電装置。
【請求項３０】
請求項２９に記載の蓄電装置において、
前記複数の集積回路は、前記基準電位端子に加えられる電位の順にしたがって電気的非絶縁状態で直列に接続されている、
ことを特徴とする蓄電装置。
【請求項３１】
請求項２９又は３０に記載の蓄電装置において、
前記基準電位端子に加えられる電位は、対応する前記リチウム単電池グループ内の最低電位である、
ことを特徴とする蓄電装置。
【請求項３２】
請求項２９乃至３１のいずれかに記載の蓄電装置において、
前記絶縁は、前記直列に接続された集積回路と前記バッテリコントローラとの間の電気的な接続を絶縁して、前記直列に接続された集積回路の電圧領域と前記バッテリコントローラの電圧領域とを切り離している、
ことを特徴とする蓄電装置。
【請求項３３】
請求項３２に記載の蓄電装置において、
前記絶縁は、最高電位のリチウム単電池グループに対応する集積回路と前記バッテリコントローラとの間の信号伝送路に設けられ、両者間の電気的な接続を絶縁している、
ことを特徴とする蓄電装置。
【請求項３４】
請求項３３に記載の蓄電装置において、
前記絶縁は、さらに、最低電位のリチウム単電池グループに対応する集積回路と前記バッテリコントローラとの間の信号伝送路に設けられ、両者間の電気的な接続を絶縁している、
ことを特徴とする蓄電装置。
【請求項３５】
請求項２９乃至３４のいずれかに記載の蓄電装置において、
前記信号出力回路は、対応する集積回路に加わる電位を基準とした信号を前記信号出力端子を介して出力し、
前記信号入力回路は、前記信号出力回路から出力され、対応する集積回路に加わる電位とは異なる電位を基準とする信号を前記信号入力端子を介して受信し、この受信した信号を、対応する集積回路に加わる電位を基準とした信号に電位変換する、
ことを特徴とする蓄電装置。
【請求項３６】
請求項２９乃至３５のいずれかに記載の蓄電装置において、
前記複数の集積回路は、それぞれ、対応するリチウム単電池グループから供給された電圧を受けて、集積回路の内部回路を動作させるための一定電圧を出力する内部電源を有する、
ことを特徴とする蓄電装置。
【請求項３７】
請求項２９乃至３６のいずれかに記載の蓄電装置において、
前記複数の集積回路のそれぞれは、少なくとも第１端子グループに属する前記信号入出力端子と、第２端子グループに属する前記信号入出力端子とを有し、
前記複数の集積回路の電気的な直列接続は、前記端子グループ毎に、連続的に接続される前記集積回路の間での前記信号出力端子と前記信号入力端子との電気的非絶縁状態での接続によって構成されると共に、前記端子グループ毎に、前記絶縁を介して前記バッテリコントローラから信号を受ける、
ことを特徴とする蓄電装置。
【請求項３８】
直列に接続され、それぞれ複数のリチウム単電池を有する複数の蓄電モジュールと、
前記複数の蓄電モジュールに対応して設けられ、それぞれ、対応する蓄電モジュールに含まれる複数のリチウム単電池のそれぞれの端子電圧を取り込むための複数の電圧入力端子、信号入出力端子、前記信号入力端子を介して信号を受信する信号入力回路、前記信号出力端子を介して信号を送信する信号出力回路、前記電圧入力端子から取り込まれたリチウム単電池の端子電圧を選択的に取り込むためのマルチプレクサ、及び前記マルチプレクサで選択された端子電圧をデジタル変換するＡ/Ｄコンバータを有する複数の集積回路と、
前記複数の集積回路の信号入出力端子を電気的非絶縁状態で接続して、前記複数の集積回路を直列に接続する信号伝送路と、
前記複数の集積回路の電圧入力端子を、対応する蓄電モジュールに含まれる複数のリチウム単電池の端子に電気的に接続する接続回路と、を有し、
前記信号伝送路には、絶縁を介してバッテリコントローラが接続されており、
前記複数の集積回路に対する前記バッテリコントローラからの信号は、前記信号伝送路を介して前記集積回路のそれぞれに伝送される、
ことを特徴とする蓄電装置。
【請求項３９】
請求項３８に記載の蓄電装置において、
前記複数の集積回路は、対応する蓄電モジュールの電位の順にしたがって電気的非絶縁状態で直列に接続されている、
ことを特徴とする蓄電装置。
【請求項４０】
請求項３８又は３９に記載の蓄電装置において、
前記複数の集積回路に対する前記バッテリコントローラからの信号は、前記信号伝送路によって最高電位の前記蓄電モジュールに対応する前記集積回路から最低電位の前記蓄電モジュールに対応する集積回路に向かって順に伝送される、
ことを特徴とする蓄電装置。
【請求項４１】
請求項３８乃至４０のいずれかに記載の蓄電装置において、
前記絶縁は、前記直列に接続された集積回路と前記バッテリコントローラとの間の電気的な接続を絶縁して、前記直列に接続された集積回路の電圧領域と前記バッテリコントローラの電圧領域とを切り離している、
ことを特徴とする蓄電装置。
【請求項４２】
請求項４１に記載の蓄電装置において、
前記絶縁は、最高電位の蓄電モジュールに対応する集積回路と前記バッテリコントローラとの間の信号伝送路に設けられ、両者間の電気的な接続を絶縁している、
ことを特徴とする蓄電装置。
【請求項４３】
請求項４２に記載の蓄電装置において、
前記絶縁は、さらに、最低電位の蓄電モジュールに対応する集積回路と前記バッテリコントローラとの間の信号伝送路に設けられ、両者間の電気的な接続を絶縁している、
ことを特徴とする蓄電装置。
【請求項４４】
請求項３８乃至４３のいずれかに記載の蓄電装置において、
前記信号出力回路は、対応する集積回路に加わる電位を基準とした信号を前記信号出力端子を介して出力し、
前記信号入力回路は、前記信号出力回路から出力され、対応する集積回路に加わる電位とは異なる電位を基準とする信号を前記信号入力端子を介して受信し、この受信した信号を、対応する集積回路に加わる電位を基準とした信号に電位変換する、
ことを特徴とする蓄電装置。
【請求項４５】
請求項３８乃至４４のいずれかに記載の蓄電装置において、
前記複数の集積回路は、それぞれ、対応する蓄電モジュールから供給された電圧を受けて、集積回路の内部回路を動作させるための一定電圧を出力する内部電源を有する、
ことを特徴とする蓄電装置。
【請求項４６】
請求項３８乃至４５のいずれかに記載の蓄電装置において、
前記複数の集積回路のそれぞれは、少なくとも第１端子グループに属する前記信号入出力端子と、第２端子グループに属する前記信号入出力端子とを有し、
前記信号伝送路は、前記端子グループ毎に、前記信号出力端子と前記信号入力端子との電気的非絶縁状態での接続によって複数構成され、
前記複数の信号伝送路のそれぞれには、前記絶縁を介して前記バッテリコントローラが接続されている、
ことを特徴とする蓄電装置。
【手続補正２】
【補正対象書類名】明細書
【補正対象項目名】００１４
【補正方法】変更
【補正の内容】
【００１４】
本発明の主たる特徴は、直列に接続され、それぞれ複数のバッテリセルを有する複数のバッテリモジュールと、信号路によって電気的に非絶縁状態で直列に接続され、指令信号を受信して複数のバッテリセルの状態を検出する複数の第１制御装置と、を有し、前記複数の第１制御装置の直列接続は、電気的な接続が絶縁された信号路を介して、前記指令信号を送信する第２制御装置に接続されているものである。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】